(57)【要約】【課題】操作部を操作するユーザの利便性を向上させつつ、操作部から出力される操作信号にノイズが加わることを抑制することができ、更に、装置の大型化を抑制することができる表示装置を提供する。【解決手段】矩形状の表示モジュール１０は、正面に表示画面を有し、背面の両側部に、表示画面のバックライトを駆動するインバータ２０，２０，…が夫々配された回路基板２，２，…を有し、背面左側の回路基板２，２より更に側縁寄りに、背面に略平行に固定された固定板３を有し、固定板３の表示モジュール１０下部に、固定板３に対して傾斜して取り付けられた操作部４を備える。【選択図】図５
2006337978.tif 000002
【特許請求の範囲】
【請求項１】
映像情報を表示するための表示画面を表面に有した表示モジュールと、
前記表示画面に対し所定の操作を施すための操作部と
を備える矩形状の表示装置において、
前記表示モジュールを駆動するための駆動部を有し、前記表示モジュールの背面の側部に配された回路基板と、
前記背面の前記回路基板より更に側縁寄りに、前記背面に略平行に固定された固定板と
を備え、
前記操作部は前記固定板の面上に取り付けられていることを特徴とする表示装置。
【請求項２】
前記表示モジュールは脚部を有し、
前記操作部は、前記固定板の下部に配されていることを特徴とする請求項１に記載の表示装置。
【請求項３】
前記操作部は、装置各部に接続される端子又は配線を有する操作基板と、
該操作基板を前記固定板に対して９０度以下の角度を有して取り付ける取付部材と
を備えることを特徴とする請求項１又は２に記載の表示装置。
【請求項４】
前記回路基板は、前記表示モジュールに含まれる光源を駆動するための光源駆動用回路基板であることを特徴とする請求項１乃至３の何れかひとつに記載の表示装置。
【請求項５】
前記光源駆動用回路基板は、蛍光管を駆動するためのインバータ回路基板であることを特徴とする請求項４に記載の表示装置。
【請求項６】
前記表示モジュールは、液晶表示素子を含む液晶表示モジュールであることを特徴とする請求項１乃至５の何れかひとつに記載の表示装置。
【発明の詳細な説明】
【技術分野】
【０００１】
本発明は、液晶表示装置、プラズマ表示装置等の表示装置に関する。
【背景技術】
【０００２】
机上、床上等に設置して用いる液晶表示装置、プラズマ表示装置等の表示装置には、従来、ユーザが表示装置を操作するための操作部が表示装置の上部に配置してあった。しかしながら、特に表示装置が５０インチ〜７０インチの表示画面を有する大型の表示装置である場合、操作部の位置が高いため、ユーザが使用し難いという問題があった。
【０００３】
この問題を解決するために、表示装置の側部に操作部を配置することが考えられる。例えば、表示画面を囲繞するケースの側部に結合され、ユーザに把持されて前記ケースを支持する支持体に複数のキーを含む操作部を配置してある携帯可能な小型の表示装置が開示されている（特許文献１参照）。
【特許文献１】特表２００３−５３２０８５号公報
【発明の開示】
【発明が解決しようとする課題】
【０００４】
しかしながら、特許文献１に開示されている表示装置は、操作部が配置された支持体を、表示画面を囲繞するケースの側部に結合してあるため、特に、大型の表示装置が不要に大型化するという問題があった。
【０００５】
また、表示装置は、表示画面を正面に有する矩形状の表示モジュールと、表示画面を露出させて表示モジュールの正面側を囲繞するフロントキャビネットと、表示モジュールの背面側を被覆するバックキャビネットとを備える。従来の表示装置の側部に操作部を配置する場合、操作部をフロントキャビネット又はバックキャビネットに取り付けることが考えられる。
【０００６】
さて、表示装置を製造する過程で、例えば表示モジュールの通電テストにおいて、操作部を操作して表示画面の輝度、コントラスト等が適切に調整可能か否かを判断する場合に、表示モジュールと操作部とが接続されている必要がある。しかしながら、表示モジュールの通電テストは、表示モジュールに対する各キャビネットの取り付け前に行なわれるため、操作部をフロントキャビネット又はバックキャビネットに取り付けてある場合、表示モジュールと操作部との通電テストが困難であるという問題があった。
【０００７】
ところで、表示モジュールの表示画面の光源（例えばバックライト）を駆動する駆動部であり高電圧で高周波を発生させるインバータを備える回路基板は、表示モジュールの背面両側部に配置されている。このため、前記問題を解決すべく、前記回路基板に操作部を配置することが考えられる。
【０００８】
しかしながら、操作部から表示装置の制御部へ出力される操作信号に、インバータのスイッチングに起因するノイズが加わることがあるという問題があった。
【０００９】
本発明は斯かる事情に鑑みてなされたものであり、主たる目的は、駆動部が配された回路基板に並置された固定板を、表面に表示画面を有する表示モジュールの背面の側部に設け、この固定板に操作部を取り付ける構成とすることにより、表示モジュールを内蔵すべきキャビネットに操作部を配置する必要がなく、大型化を抑制することができ、しかも操作部を操作するユーザの利便性を向上させることができ、更に操作部から出力される操作信号にノイズが加わることを抑制することができる表示装置を提供することにある。
【００１０】
本発明の他の目的は、表面に表示画面を有する表示モジュールの背面の側部下側に操作部を取り付ける構成とすることにより、操作部を操作するユーザの利便性を更に向上させることができ、操作部から出力される操作信号にノイズが加わることを更に抑制することができる表示装置を提供することにある。
【００１１】
本発明の他の目的は、操作部を表示モジュールに対して垂直又は斜めに取り付ける構成とすることにより、操作性を向上させることができる表示装置を提供することにある。
【００１２】
本発明の他の目的は、表示モジュールに含まれる光源を駆動するための光源駆動用回路基板を備えることにより、表示画面の光源を適宜に備えることができる表示装置を提供することにある。
【００１３】
本発明の他の目的は、蛍光管を駆動するためのインバータ回路基板を備えることにより、蛍光管の放電現象を利用して発光するバックライトを表示画面の光源として備えることができる表示装置を提供することにある。
【００１４】
本発明の更に他の目的は、液晶表示モジュールを備えることにより、液晶表示装置として構成することができる表示装置を提供することにある。
【課題を解決するための手段】
【００１５】
本発明に係る表示装置は、映像情報を表示するための表示画面を表面に有した表示モジュールと、前記表示画面に対し所定の操作を施すための操作部とを備える矩形状の表示装置において、前記表示モジュールを駆動するための駆動部を有し、前記表示モジュールの背面の側部に配された回路基板と、前記背面の前記回路基板より更に側縁寄りに、前記背面に略平行に固定された固定板とを備え、前記操作部は前記固定板の面上に取り付けられていることを特徴とする。
【００１６】
本発明に係る表示装置は、前記表示モジュールは脚部を有し、前記操作部は、前記固定板の下部に配されていることを特徴とする。
【００１７】
本発明に係る表示装置は、前記操作部は、装置各部に接続される端子又は配線を有する操作基板と、該操作基板を前記固定板に対して９０度以下の角度を有して取り付ける取付部材とを備えることを特徴とする。
【００１８】
本発明に係る表示装置は、前記回路基板は、前記表示モジュールに含まれる光源を駆動するための光源駆動用回路基板であることを特徴とする。
【００１９】
本発明に係る表示装置は、前記光源駆動用回路基板は、蛍光管を駆動するためのインバータ回路基板であることを特徴とする。
【００２０】
本発明に係る表示装置は、前記表示モジュールは、液晶表示素子を含む液晶表示モジュールであることを特徴とする。
【発明の効果】
【００２１】
本発明の表示装置による場合、表示画面を表面に有した表示モジュールの背面の側部に、駆動部が配された回路基板と固定板とが、固定板の方が回路基板よりも表示モジュールの側縁寄りに配されるよう並置され、この固定板の面上に、操作部が取り付けてある。つまり、操作部は駆動部から離隔して配置されている。このため、操作部から出力される操作信号に、駆動部を原因とするノイズが加わることを抑制することができる。
【００２２】
また、操作部は表示モジュールの側部に配置されているため、表示装置の表示画面が大型である場合でも、表示モジュールの上部に配置されている従来の操作部と比べてユーザが操作し易い。即ち、操作部を操作するユーザの利便性を向上させることができる。しかも、操作部は表示画面正面方向からは目立たないため、美観を向上させることができる。
【００２３】
更に、操作部は表示モジュールに取り付けてあるため、表示モジュールを内蔵すべきキャビネットに操作部を配置する必要がなく、操作部及び表示モジュールの導通テスト時に利便性が高い。更にまた、表示モジュール又は表示装置の側部に結合させた支持体を備えないため、表示装置の大型化を抑制することができる。
【００２４】
本発明の表示装置による場合、固定板の下部に、操作部が取り付けてある。つまり、脚部によって机上、床面等に設置される表示装置の操作部は、略水平方向に駆動部から離隔して、表示モジュールの側部下側に配置されている。このため、操作部から表示装置の制御部へ操作信号を出力するための配線を、駆動部及び回路基板を容易かつ短距離で回避して配設することができる。この結果、操作部から出力される操作信号に、駆動部を原因とするノイズが加わることを、コンパクトな構成で更に抑制することができる。
【００２５】
また、操作部は表示モジュールの側部下側に配置してあるため、表示装置の表示画面が大型である場合でも、ユーザが操作し易い。仮に、操作部が表示モジュールの側部上側に配置されている場合は、表示モジュールの上部に配置されている従来の操作部と同様、ユーザが操作し難い。つまり、操作部を表示モジュールの側部下側に配置することによって、操作部を操作するユーザの利便性を向上させることができる。
【００２６】
本発明の表示装置による場合、表面に表示画面を有する表示モジュールの背面に略平行に固定された固定板に対し、操作部の操作基板が取り付け部材によって９０度以下の角度を有して取り付けられる。仮に、操作部を固定板に対し平行に取り付けた場合、操作部が背後を向き、ユーザが操作し難くなる。つまり、操作部を表示モジュールに対して垂直又は斜めに取り付けることによって、操作性を向上させることができる。
【００２７】
また、固定板に対し、操作部の操作基板が取り付け部材によって９０度未満の角度を有して取り付けられる場合、即ち、操作部が、表示モジュールの背面に対して傾斜して取り付けられる場合、表示モジュールの背面に対して垂直に操作部を取り付ける場合よりも、表示モジュールと操作部とを内蔵するキャビネットの厚さを薄くすることができる。つまり、表示装置の厚さを低減することができる。また、操作部を固定板に対して傾斜させることによって、表示装置の厚さの低減と操作性の向上とを両立させることができる。
【００２８】
本発明の表示装置による場合、表示モジュールに光源が含まれ、即ち表示画面の光源が備えられ、表示画面を表面に有した表示モジュールの背面の側部に、光源を駆動するための駆動部が配された光源駆動用回路基板と固定板とが、固定板の方が光源駆動用回路基板よりも表示モジュールの側縁寄りに配されるよう並置され、この固定板に、操作部が取り付けてある。つまり、操作部は駆動部から離隔して配置されている。このため、操作部から出力される操作信号に、駆動部を原因とするノイズが加わることを抑制することができる。
【００２９】
本発明の表示装置による場合、光源駆動用回路基板を、蛍光管を駆動するためのインバータを駆動部として有するインバータ回路基板を備えるため、表示モジュールに含まれる光源を、蛍光管の放電現象を利用して発光する直下式又は導光板式のバックライトで構成することができる。
【００３０】
本発明の表示装置による場合、表示モジュールとして、映像情報表示用の液晶表示素子を含む液晶表示モジュールを用いることができるため、表示装置を液晶表示装置として構成することができる。
【発明を実施するための最良の形態】
【００３１】
以下、本発明を、その実施の形態を示す図面に基づいて詳述する。
【００３２】
図１は、本発明に係る表示装置１の構成を示す斜視図であり、図２は同じく拡大背面斜視図、図３は同じく分解背面斜視図である。
【００３３】
表示装置１は矩形状であり、映像情報を表示するための液晶表示素子を含む液晶ディスプレイ・パネルを用いてなる５０インチ〜７０インチ（例えば６５インチ）の矩形状の表示画面１ａを正面（表面）に有し、表示画面１ａの図示しない光源（バックライト）と、該バックライト及び表示画面１ａの各ラインの各画素に適宜の諧調電圧を印加することによって液晶ディスプレイ・パネルの液晶表示素子を制御する図示しない液晶ドライバとを有する矩形状の表示モジュール１０を備える。
【００３４】
表示モジュール１０は、表示装置１を机上、床上等に設置するための脚部１３を表示モジュール１０下部に備え、また、表示モジュール１０の正面側（具体的には表示画面１ａ周縁）は、表示画面１ａを露出させる開口を有する枠状のフロントキャビネット１１に囲繞され、表示モジュール１０の背面側は、バックキャビネット１２に被覆されている。フロントキャビネット１１及びバックキャビネット１２は表示モジュール１０を挟み込むようにして保護する役割を有する。
【００３５】
また、表示モジュール１０の背面の両側部には、表示画面１ａのバックライトを駆動する駆動部としてのインバータ２０，２０，…を夫々上下に並置してある各矩形状の計４枚の回路基板２，２，…が、各回路基板２の長手方向が上下方向になるように、表示モジュール１０背面に略平行に、左右２枚ずつ上下に配置されている。
【００３６】
表示モジュール１０のバックライトは、蛍光管の放電現象を利用して発光する直下式又は導光板式のバックライトであり、インバータ２０，２０，…から高電圧高周波信号を伝達されることによって蛍光管を駆動させる。蛍光管の電極は表示モジュール１０の縁側に配置されており、前記電極に高電圧高周波信号を伝達するためのリード線が他の部品に極力接触しないようにするために、リード線の長さを可能な限り短くすべく、インバータ２０，２０，…の配置が決定されている。また、高電圧部分であるインバータ２０，２０，…の安全性を確保するために、インバータ２０，２０，…近傍には可能な限り他の部品を配置しないようにする必要があり、このため、インバータ２０，２０，…、ひいてはインバータ２０，２０，…を並置してある回路基板２，２，…から、操作部４を離隔させる必要がある。
【００３７】
ユーザが表示画面１ａに対し所定の操作を施すためのスイッチ４３，４３、及び押しボタン４５，４７を備える操作部４は、表示装置１の正面視右側部の下部に配されている。各スイッチ４３は該スイッチ４３の上側及び下側のどちらかがユーザによって押下されることによって、夫々に対応するリレーの一方がオンに、他方がオフになるよう構成してある。また、押しボタン４５，４７は、ユーザによって押下されたときにオンになり、ユーザの手が離れたときにオフになるよう構成してある。
【００３８】
更に、表示モジュール１０の背面の周縁部には、表示モジュール１０背面に略平行に各矩形状の固定板３，３，５，５，…が固定されている。固定板３，３，５，５，…には、ビスを用いて表示モジュール１０をフロントキャビネット１１及びバックキャビネット１２夫々に固定するためのビス穴が複数形成され、表示モジュール１０とフロントキャビネット１１及びバックキャビネット１２夫々とは固定板３，３，５，５，…を介在して接合される。
【００３９】
固定板５，５，…は、各固定板５の長手方向が左右方向になるように、表示モジュール１０背面上下縁部に計６枚、３枚ずつ左右に並置されている。また、固定板３，３は、各固定板３の長手方向が上下方向になるように、表示モジュール１０背面左右縁部に計２枚、１枚ずつ配置されている。ここで、各固定板３は、該固定板３に最も接近している回路基板２，２よりも更に側縁寄りに配置されている。
【００４０】
図４は、表示モジュール１０に配される回路基板２及び固定板３の取り付け方を示す説明図であり、図５は、操作部４の取り付け方を示す説明図である。ここで、図４及び図５には、表示モジュール１０の背面視の操作部４近傍の拡大分解斜視図が示してある。
【００４１】
表示モジュール１０背面には、棒状の突出部５２，５２，…が上下方向に並設してあり、また、ビス穴５３，５３，…が形成してある。固定板３には、長手方向が上下方向の長孔３１，３１，…が同方向に並設してあり、各長孔３１には、隣り合う２本の突出部５２，５２が貫通可能である。
【００４２】
各固定板３は、長孔３１，３１，…夫々に２本ずつ突出部５２，５２，…を貫通させて、固定板３の一面を表示モジュール１０背面に接触させた状態で、ビス穴５３，５３，…及び固定板３に形成してあるビス穴を通して表示モジュール１０にビス留めされる。
【００４３】
表示モジュール１０背面には、突出部５２，５２，…の高さと略同じ高さを有する円筒状のビス受け５１，５１，…が立設してある。回路基板２，２，…は、ビス受け５１，５１，…上に配されて、回路基板２，２，…に形成された図示しないビス穴を貫通してビス受け５１，５１，…にビス留めされている。このため、回路基板２，２，…は表示モジュール１０背面からビス受け５１，５１，…の軸方向長さ分だけ離隔されている。
【００４４】
操作部４は、背面視左側の固定板３の下端側に取り付けられる。操作部４は、各スイッチ４３の固定接点である端子４４，４４、押しボタン４５の固定接点である端子４６、及び押しボタン４７を長手方向に並置して一面に配してある矩形状の操作基板４１と、スイッチ４３，４３及び押しボタン４５夫々のキー並びに押しボタン４７が貫通する貫通孔４８を有し、操作基板４１を固定板３に対して９０度未満の角度を有して傾斜して取り付ける取付部材４２とで構成されている。
【００４５】
取付部材４２は、スイッチ４３，４３、及び押しボタン４５夫々のキー及び貫通孔４８が長手方向に並置してある矩形状のキー部６１と、平板状の取付脚部６２と、キー部６１の内面（スイッチ４３，４３、及び押しボタン４５夫々のキーが突設された面の裏面）が取付脚部６２の一面に対して９０度未満の所定角度を有して傾斜配置されるようにキー部６１及び取付脚部６２を連結する連結部６３とを有する一体成型部材である。キー部６１及び取付脚部６２夫々には、ビス穴６ａ，６ａ，６ｂ，６ｂが形成してある。
【００４６】
操作基板４１は、操作基板４１の表面（端子４４，４４，４６及び押しボタン４７夫々のキーが設けてある一面）とキー部６１の内面とを対向させて、キー部６１のビス穴６ａ，６ａと操作基板４１のビス孔４ａ，４ａとを通してキー部６１の外面側からキー部６１にビス留めされる。
【００４７】
固定板３にはビス穴３ａ，３ａが形成してあり、取付部材４２は、取付脚部６２のビス穴６ｂ，６ｂとビス穴３ａ，３ａとを通して、固定板３面上の下部にビス留めされる。つまり、操作基板４１は、固定板３に対して９０度未満の角度を有して取り付けられ、しかも、回路基板２，２と固定板３に取り付けられた操作部４（延いては操作基板４１）とは必要十分に離隔されている。
【００４８】
スイッチ４３，４３及び押しボタン４５から（具体的には操作基板４１の端子４４，４４，４６から）は図示しない配線が延設されており、該配線は、回路基板２，２を迂回して、表示装置１の図示しない制御部に接続される。操作部４は固定板３の下端側、即ち上下に並置された２枚の回路基板２，２のうち下側に配された回路基板２の下端近傍に配置してあるため、最短距離で前記配線に回路基板２，２を迂回させることができる。スイッチ４３，４３及び押しボタン４５，４７が操作された場合、対応する操作信号が制御部へ伝達され、伝達された制御信号に応じて、制御部は、例えば電源のオン／オフ、選局、音量調整、表示画面１ａの輝度、コントラスト、色合い等の調整を行なうよう各部を制御する。
【００４９】
表示装置１を製造する過程で、フロントキャビネット１１及びバックキャビネット１２夫々を表示モジュール１０に取り付ける前に、表示モジュール１０と操作部４とが接続されて、通電テストが実行される。
【００５０】
フロントキャビネット１１は合成樹脂製の枠体であり、フロントキャビネット１１の内法は表示モジュール１０のサイズに適合する寸法を有し、表示モジュール１０の周縁部はフロントキャビネット１１の内側に取り付けられてビス留めされる。また、バックキャビネット１２は金属製であり、フロントキャビネット１１の内側に取り付けられた表示モジュール１０の裏蓋として機能する。バックキャビネット１２には、表示モジュール１０の位置及びサイズに対応する孔１２０が形成してあり、バックキャビネット１２が表示モジュール１０にビス留めされることによって、孔１２０から操作部４が露出する。なお、フロントキャビネット１１、表示モジュール１０及びバックキャビネット１２を同一のビスを用いてビス留めする構成でもよい。
【００５１】
以上のような表示装置１は、表示装置１の側部下側に操作部４が設けられているため、ユーザが操作部４を操作し易い。また、回路基板２，２と操作部４と、及び、回路基板２，２と操作部４から延設される配線とが夫々適切に離隔配置されているため、操作部４から表示モジュール１０の制御部へ配線を介して出力される操作信号に、インバータ２０，２０，…のスイッチングに起因するノイズが加わることが抑制されている。
【００５２】
更に、操作部４が表示モジュール１０に対して傾斜して直接的に取り付けられているため、表示装置１のサイズが増大することを抑制してある。
【００５３】
なお、表示モジュール１０は、液晶ディスプレイ・パネルに限らず、プラズマ・ディスプレイ・パネル、有機／無機ＥＬディスプレイ・パネル等で構成されてもよい。
また、操作基板４１を固定板３に対して９０度の角度を有して取り付けてもよい。
【図面の簡単な説明】
【００５４】
【図１】本発明に係る表示装置の構成を示す斜視図である。
【図２】本発明に係る表示装置の構成を示す拡大背面斜視図である。
【図３】本発明に係る表示装置の構成を示す分解背面斜視図である。
【図４】本発明に係る表示装置が備える表示モジュールに配される回路基板及び固定板の取り付け方を示す説明図である。
【図５】本発明に係る表示装置が備える表示モジュールに配される操作部の取り付け方を示す説明図である。
【符号の説明】
【００５５】
１    表示装置
１ａ  表示画面
１０  表示モジュール（液晶表示モジュール）
１３  脚部
２    回路基板（光源駆動用回路基板，インバータ回路基板）
２０  インバータ（駆動部）
３    固定板
４    操作部
４１  操作基板
４２  取付部材
４４，４６  端子
【図１】
2006337978.tif 000003
【図２】
2006337978.tif 000004
【図３】
2006337978.tif 000005
【図４】
2006337978.tif 000006
【図５】
2006337978.tif 000007